【手続補正書】
【提出日】平成22年12月22日(2010.12.22)
【手続補正１】
【補正対象書類名】特許請求の範囲
【補正対象項目名】全文
【補正方法】変更
【補正の内容】
【特許請求の範囲】
【請求項１】
第１のトランシーバ（１１０，１２０）と第２のトランシーバ（１１０，１２０）との間でデータユニットの形で送信されるトラフィックが交換されるセルラ通信システム（１００）において使用する方法（７００）であって、
各データユニットには識別子が付与され、該データユニットは複数のセグメントに分割され、
前記システムにおいて、受信側のトランシーバ（１１０，１２０）は、送信側のトランシーバ、即ち、データを送信したトランシーバに、データユニットを正しく受信したか、部分的に受信したか、または受信しなかったかについての状態情報をデータフレームまたはデータユニット（２００，３００）の形で送信するものであり、
１つ以上のデータユニットが受信されなかったか、または部分的に受信された場合（７０５）には、前記送信側のトランシーバに送信される前記状態情報は、
・一定のシーケンス番号の形式でのデータユニットまたはデータフレームを正しく受信したことを確認するデータ（ＡＣＫ）と、
・第１の拡張インジケータ（Ｅ）と、
・一定のシーケンス番号の形式での受信されなかったまたは部分的に受信されたデータユニット或はデータフレームに関するデータ（ＮＡＣＫ）と、
・前記データユニットが受信されなかったか或は部分的に受信されたのかを示す、第２の拡張インジケータ（Ｆ）と、
を有するメッセージ（３００）として送信され、
１つ以上のデータユニットが部分的に受信された場合には、該データユニットのどの部分が受信されなかったかについての情報（７１５）を含み、
前記第１の拡張インジケータ（Ｅ）は、前記第１の拡張インジケータ（Ｅ）と前記第２の拡張インジケータ（Ｆ）と前記データユニット或はデータフレームの識別子（ＳＮ）の形式での部分的に受信されたか或は受信されなかったユニット或はフレームに関するデータ（ＮＡＣＫ）とを有する別のセットの有無を示すことを特徴とする方法（７００）。
【請求項２】
前記データユニットが受信されなかったか、または部分的に受信されたかについての情報は前記データフレーム或はデータユニットのフラグとして含まれることを特徴とする請求項１に記載の方法（７００，７２０）。
【請求項３】
前記データユニットのどの部分が受信されなかったかについての情報は、前記受信されなかったデータユニットの最初と最後の部分を示す情報として、前記データフレーム或はデータユニットに含まれることを特徴とする請求項１又は２に記載の方法（７００，７２５）。
【請求項４】
前記送信側のトランシーバからのデータフレームまたはデータユニットがセグメントに分割されていて、最後のセグメントが前記受信側のトランシーバに達していなかった場合には、前記受信側のトランシーバ（１１０，１２０）によって前記送信側のトランシーバ（１１０，１２０）に対し、それを示唆することを特徴とする請求項１乃至３のいずれか１項に記載の方法（７００，７３０）。
【請求項５】
欠落したセグメントについての示唆は、前記欠落したセグメントの最後の部分についての情報についての特別な前もって定義された値により実行されることを特徴とする請求項３又は４に記載の方法（７００，７３０）。
【請求項６】
前記部分的に受信されたデータユニットのどの部分が受信されなかったかについての情報は、前記データユニットの識別子を示す情報、また、前記データユニットの中の受信されなかったデータの最初の部分に関する情報と受信されなかったデータの量についての情報として、前記データフレームまたはデータユニットに含まれることを特徴とする請求項１に記載の方法（７００，７３５）。
【請求項７】
前記受信側のトランシーバ（１１０，１２０）から前記送信側のトランシーバ（１１０，１２０）への前記状態情報は、
・データまたは制御メッセージのようなメッセージの特性についての情報（Ｄ／Ｃ）と、
・制御メッセージの場合には、状態メッセージのような前記特性の中のメッセージのタイプについての情報と、
・受信されなかったデータの最初（ＳＯ１１，ＳＯ２１）と最後（ＳＯ１２，ＳＯ２２）についての情報
の１つ以上を含む可能性があるメッセージ（３００）として送信されることを特徴とする請求項１乃至６のいずれか１項に記載の方法（７００）。
【請求項８】
前記第２の拡張インジケータ（Ｆ）は、前記受信されなかったデータの最初（ＳＯ１１，ＳＯ２１）と最後（ＳＯ１２，ＳＯ２２）についての情報の有無を示すことを特徴とする請求項７に記載の方法。
【請求項９】
第２のトランシーバ（１１０，１２０）に対してトラフィックを送信し、前記第２のトランシーバからトラフィックを受信する手段（８１０，８２０，８３０）を備えたセルラ通信システム（１００）において使用されるトランシーバ（８００）であって、
前記トランシーバ（８００）は前記トラフィックをデータユニットで送信する手段（８４０，８５０）と、前記データユニットの各々に識別子を付与する手段（８４０，８５０）と、前記データユニットを複数のセグメントに分割する手段（８４０，８５０）とを備え、前記トランシーバ（８００）はさらに、前記第２のトランシーバ、即ち、データを送信したトランシーバに、データユニットを正しく受信したか、部分的に受信したか、または受信しなかったかについての状態情報をデータフレームまたはデータユニット（２００，３００）の形で送信する手段（８４０，８５０，８３０，８１０）を備え、
前記トランシーバ（８００）は、
１つ以上のデータユニットが受信されなかったか、または部分的に受信された場合には、前記状態情報を、
一定のシーケンス番号の形式でのデータユニットまたはデータフレームを正しく受信したことを確認するデータ（ＡＣＫ）と、
第１の拡張インジケータ（Ｅ）と、
一定のシーケンス番号の形式での受信されなかったまたは部分的に受信されたデータユニット或はデータフレームに関するデータ（ＮＡＣＫ）と、
前記データユニットが受信されなかったか、または部分的に受信されたかを示す、第２の拡張インジケータ（Ｆ）と
を有するメッセージ（３００）として送信し、
１つ以上のデータユニットが部分的に受信された場合には、該データユニットのどの部分が受信されなかったかについての情報を送信する手段（８４０，８５０）をさらに備え、
前記第１の拡張インジケータ（Ｅ）は、前記第１の拡張インジケータ（Ｅ）と前記第２の拡張インジケータ（Ｆ）と前記データユニット或はデータフレームの識別子（ＳＮ）の形式での部分的に受信されたか或は受信されなかったユニット或はフレームに関するデータ（ＮＡＣＫ）とを有する別のセットの有無を示すことを特徴とするトランシーバ（８００）。
【請求項１０】
前記トランシーバはＥ−ＵＴＲＡＮシステム（１００）におけるトランシーバであることを特徴とする請求項９に記載のトランシーバ（８００）。
【請求項１１】
前記データユニットは、前記セグメントがＲＬＣ  ＰＤＵセグメントであるように、ＲＬＣ  ＰＤＵであることを特徴とする請求項１０に記載のトランシーバ。
【請求項１２】
Ｅ−ＵＴＲＡＮセル（１３０）のｅＮｏｄｅＢ（１１０）であることを特徴とする請求項１０又は１１に記載のトランシーバ（８００）。
【請求項１３】
Ｅ−ＵＴＲＡＮセル（１３０）のユーザ機器ＵＥ（１２０）であることを特徴とする請求項１０又は１１に記載のトランシーバ（８００）。